(57)【要約】 【課題】標準の植栽領域と育成条件が異なるボーダー処理領域など異条件領域を全面に亘って優れた美観で緑化することができると共に、植栽領域全体で植物を良好に且つ長期に亘って育成することができる。【解決手段】上面開放の略箱形の植栽コンテナ１００内に育成材１０９が充填されて植物４０６が植栽される標準の植栽ユニット３００を、敷設面５００に複数敷設して標準の植栽領域を設け、標準の植栽領域に隣接する標準の植栽ユニット３００を設置できないボーダー空間４０に、育成材４０３が設けられ植物４０６が植栽されるボーダー処理領域を設け、標準の植栽領域とボーダー処理領域とを跨いで、匍匐性の植物４０６が植栽されている植栽マット４０５を設置する緑化設備。【選択図】図７
2005323589.tif 000002
【特許請求の範囲】
【請求項１】
育成材が設けられ植物が植栽される標準の植栽領域と、育成材が設けられ植物が植栽され且つ標準の植栽領域と植物の育成条件が異なる異条件領域とを有し、標準の植栽領域と異条件領域とを跨いで植栽マットを設置する、若しくは標準の植栽領域と異条件領域とを跨ぐ植物を植栽することを特徴とする緑化設備。
【請求項２】
育成材が設けられ植物が植栽される標準の植栽領域と、育成材が設けられ植物が植栽され且つ標準の植栽領域と植物の育成条件が異なる異条件領域とを有し、標準の植栽領域と異条件領域とを跨いで植栽マットを設置し、且つ標準の植栽領域と異条件領域とを跨ぐ植物を該植栽マットに植栽することを特徴とする緑化設備。
【請求項３】
上面開放の略箱形の植栽コンテナ内に育成材が充填されて植物が植栽される標準の植栽ユニットを、敷設面に複数敷設して標準の植栽領域を設け、標準の植栽領域に隣接する標準の植栽ユニットを設置できない箇所に、育成材が設けられ植物が植栽される隣接領域を設け、標準の植栽領域と隣接領域とを跨いで植栽マットを設置する、若しくは標準の植栽領域と隣接領域とを跨ぐ植物を植栽することを特徴とする緑化設備。
【請求項４】
前記標準の植栽領域と異条件領域とを跨ぐ植物若しくは標準の植栽領域と隣接領域とを跨ぐ植物を匍匐性の植物とすることを特徴とする請求項１〜３の何れかに記載の緑化設備。
【請求項５】
前記異条件領域若しくは隣接領域を、シート状の漏れ防止材に育成材を収容して植栽する構成とすることを特徴とする請求項１〜４の何れかに記載の緑化設備。
【請求項６】
前記シート状の漏れ防止材の両側端を折り曲げ、標準の植栽領域と異条件領域若しくは隣接領域とを跨いで設置される植栽マットと育成材との間で該両側端を挟み込むことを特徴とする請求項５記載の緑化設備。
【請求項７】
前記異条件領域若しくは隣接領域を、断面視略Ｌ字形の仕切板の一対を仕切板の一方の片が互いに向き合うように対向配置し、対向配置した仕切板の内側にシート状の漏れ防止材を断面視略コ字形にして布設することを特徴とする請求項５又は６記載の緑化設備。
【発明の詳細な説明】
【技術分野】
【０００１】
本発明は、例えば建築物の屋上やベランダ等の人工地盤上に設け、地被植物等の植物を育成して緑化する緑化設備に関する。
【背景技術】
【０００２】
建築物の屋上等を緑化する緑化設備に関する公知技術として、特許文献１に、底板と外周壁を有する上方開放で形成され、その上部を芝材等の載置空間、その下部を育成材充填空間とする植栽コンテナを複数敷設し、植栽コンテナの育成材充填空間に育成材を充填すると共に、芝材や板材を選択的に載置して植栽領域を形成する緑化設備が開示されている。
【０００３】
また、特許文献２には、敷設面上に植栽コンテナを複数敷設して植栽コンテナ群を形成すると共に、植栽コンテナ群の外縁から所定間隔を置いて仕切部材を設け、植栽コンテナ群の外周縁と仕切部材との間に玉砂利等を敷設してボーダー処理を行う緑化設備が開示されている。
【０００４】
また、特許文献３には、育成材を充填して芝材を植えた植栽コンテナ等の規格化されたガーデン部材を複数並設してガーデン部材群を形成し、ガーデン部材群の外縁とガーデン部材を形成すべき場所の縁との隙間に芝生を植え込む緑化設備が開示されている。
【０００５】
【特許文献１】特開２００１−７８５８２号
【特許文献２】特開２０００−１８８９５３号
【特許文献３】特開平１０−６８２４０号
【発明の開示】
【発明が解決しようとする課題】
【０００６】
ところで、特許文献１の緑化設備は、標準の植栽コンテナを人工地盤の敷設面全体に亘って敷設できる場合に、人工地盤上に優れた美観の緑化エリアを形成することができると共に、顧客からの人工地盤の全面緑化の要望にも応えられるが、敷設面に植栽コンテナを載置できない程度の隙間（ボーダー空間）が植栽コンテナ群の外側に生ずる場合、緑化エリアの美観が損なわれ、全面緑化の要望にも応えられない。この場合に、特許文献２の玉砂利等をボーダー空間に敷設しても、場合によっては美観が損なわれ、又、同様に全面緑化の要望に応えることができない。他方で、ボーダー空間を特許文献３の芝生を植え込んで処理する構成とすると、全面緑化を図ることは可能であるものの、標準の植栽領域とボーダー処理領域とで芝生の高さが異なる等、緑化エリアの統一性を維持することが困難となり、同様に美観が損なわれる。
【０００７】
また、特許文献３のようにボーダー空間に別途芝生を植え込んで処理した場合、標準の植栽領域とボーダー処理領域とで、保持可能な有効水分量等の育成条件が異なってしまい、標準の植栽領域とボーダー処理領域とで育成条件に応じて別々に潅水するか、或いはボーダー処理領域の芝生のみが枯れてしまうような事態を生ずる。
【０００８】
本発明は上記課題に鑑み提案するものであって、標準の植栽領域と育成条件が異なるボーダー処理領域など異条件領域や隣接領域を全面に亘って優れた美観で緑化することができると共に、植栽領域全体で植物を良好に且つ長期に亘って育成することができる緑化設備を提供することを目的とする。
【課題を解決するための手段】
【０００９】
本発明の緑化設備は、育成材が設けられ植物が植栽される標準の植栽領域と、育成材が設けられ植物が植栽され且つ標準の植栽領域と植物の育成条件が異なる異条件領域とを有し、標準の植栽領域と異条件領域とを跨いで植栽マットを設置する、若しくは標準の植栽領域と異条件領域とを跨ぐ植物を植栽することを特徴とする。尚、異条件領域には、標準の植栽領域より植物の育成条件が良いもの或いは悪いものが含まれる。
【００１０】
また、本発明の緑化設備は、育成材が設けられ植物が植栽される標準の植栽領域と、育成材が設けられ植物が植栽され且つ標準の植栽領域と植物の育成条件が異なる異条件領域とを有し、標準の植栽領域と異条件領域とを跨いで植栽マットを設置し、且つ標準の植栽領域と異条件領域とを跨ぐ植物を該植栽マットに植栽することを特徴とする。
【００１１】
また、本発明の緑化設備は、上面開放の略箱形の植栽コンテナ内に育成材が充填されて植物が植栽される標準の植栽ユニットを、敷設面に複数敷設して標準の植栽領域を設け、標準の植栽領域に隣接する標準の植栽ユニットを設置できない箇所に、育成材が設けられ植物が植栽される隣接領域を設け、標準の植栽領域と隣接領域とを跨いで植栽マットを設置する、若しくは標準の植栽領域と隣接領域とを跨ぐ植物を植栽することを特徴とする。尚、前記隣接領域は、標準の植栽領域と植物の育成条件が同じもの或いは異なるものとすることが可能である。
【００１２】
更に、本発明の緑化設備は、前記標準の植栽領域と異条件領域とを跨ぐ植物若しくは標準の植栽領域と隣接領域とを跨ぐ植物を匍匐性の植物とすることを特徴とする。前記匍匐性の植物には、例えばランナーで匍匐する芝生、蔓で匍匐する蔓性植物等が含まれる。
【００１３】
更に、本発明の緑化設備は、前記異条件領域若しくは隣接領域を、シート状の漏れ防止材に育成材を収容して植栽する構成とすることを特徴とする。
【００１４】
更に、本発明の緑化設備は、前記シート状の漏れ防止材の両側端を折り曲げ、標準の植栽領域と異条件領域若しくは隣接領域とを跨いで設置される植栽マットと育成材との間で該両側端を挟み込むことを特徴とする。
【００１５】
更に、本発明の緑化設備は、前記異条件領域若しくは隣接領域を、断面視略Ｌ字形の仕切板の一対を仕切板の一方の片が互いに向き合うように対向配置し、対向配置した仕切板の内側にシート状の漏れ防止材を断面視略コ字形にして布設することを特徴とする。
【００１６】
尚、標準の植栽領域と異条件領域若しくは隣接領域とに植栽マットを載置する場合には、植栽ユニットを設置した植栽ユニット領域など標準の植栽領域への植栽マットの載置面積を、異条件領域若しくは隣接領域への植栽マットの載置面積よりも大きくすると好適である。
【００１７】
また、異条件領域若しくは隣接領域は、標準の植栽領域の外縁と仕切部材との間のボーダー処理領域、或いは標準の植栽領域の外縁と緑化エリアを形成すべき領域の壁面など縁との間のボーダー処理領域、或いは敷設面に段差が形成されている箇所に設けられる処理領域等とすることが可能であり、更に、標準の植栽領域と区画された状態で隣接する領域、或いは特段の区画なしで隣接する領域等とすることが可能であり、更に、円形領域や曲線部分を有する領域などその形状は適宜である。
【００１８】
また、植物の育成条件が異なる異条件領域としては、例えば貯水コンテナを有する植栽ユニットによる標準の植栽領域に対して貯水コンテナを設けずに構成される領域若しくはその逆の領域、或いは屋根が無く直接降雨を受ける標準の植栽領域に対して屋根が有り降雨を受けられない領域など植栽領域の単位面積当たりの灌水量が標準の植栽領域と異なる領域若しくはその逆の領域、或いは植栽領域の単位面積当たり若しくは単位体積当たりに対して保持可能な有効水分量が標準の植栽領域と異なる領域等とすることが可能であり、更には、異条件領域の貯水コンテナのみに異条件領域に設置した潅水パイプから直接潅水する構成等とすることも可能である。
【００１９】
また、本発明には、各発明から部分的な作用効果を奏する限度で構成を削除し、或いは各発明の構成を他の構成に変更し、或いは各発明の構成に他の構成を追加したものも含まれる。
【発明の効果】
【００２０】
本発明の緑化設備は、標準の植栽領域と異条件領域や隣接領域とを跨いで植栽マットを設置若しくは植物を植栽するので、標準の植栽領域と育成条件が異なるボーダー処理領域など異条件領域や隣接領域を全面に亘って略均一に優れた美観で緑化することができると共に、例えば異条件領域や隣接領域の保持している水分が減少した場合に標準の植栽領域から水分を供給する、或いはその逆として相互補完することが可能であり、植栽領域全体で植物を良好に且つ長期に亘って育成することができる。従って、緑化エリアを形成すべき所定領域に対する顧客の全面緑化の要望にも充分に応えることができる。
【００２１】
更に、例えば標準の植栽コンテナの一辺が長くて広い範囲のボーダー処理領域が形成される等、異条件領域や隣接領域が広い場合にもこれらの領域を確実に緑化し、且つ前記跨ぐ箇所を含めて全面的に緑化することができるので、広範囲の植栽面積を確保することができる。従って、ヒートアイランド現象の抑制効果を高めることもできる。
【００２２】
更に、例えば標準の植栽領域と異条件領域や隣接領域とで異なる間隔で潅水する等、標準の植栽領域と異条件領域や隣接領域とで特段に異なる処理も不要であることから、維持管理を容易に行うことができる。
【００２３】
更に、例えば一部だけ高い箇所を有する敷設面に略水平な緑化エリアを形成する場合に、大半の植栽ユニットを多量の底上材で底上げして、緑化エリアの高さを高くするような処理も不要であることから、緑化設備の設置の安定性の確保、標準的な高さで緑化設備を形成することによる優れた意匠性の確保を図ることができ、又、底上材等が不要であるから、コスト低減や、敷設面へ負荷される荷重低減の効果も得られる。
【００２４】
また、標準の植栽領域と異条件領域若しくは隣接領域とを跨ぐ植物を匍匐性植物とすると、例えば芝生のランナーや蔓性植物の蔓を介して標準の植栽領域から異条件領域や隣接領域に確実に水分を導入すること等が可能となり、より確実に植物の良好な育成を行うことができる。
【００２５】
また、異条件領域若しくは隣接領域をシート状の漏れ防止材に育成材を収容して植栽する構成とすることにより、育成材の設置を容易に行えると共に、育成材の漏れを確実に防止できる。更に、シート状の漏れ防止材の両側端を折り曲げ、上記跨いで設置される植栽マットと育成材との間で該両側端を挟み込む構成により、シート状の漏れ防止材及び育成材の設置構造を安定することができる。更に、断面視略Ｌ字形の仕切板の一対を仕切板の一方の片が互いに向き合うように対向配置し、対向配置した仕切板の内側にシート状の漏れ防止材を断面視略コ字形にして布設する構成により、異条件領域や隣接領域の構造の一層の安定化や強度の強化、育成材の漏れのより確実な防止を図ることができる。
【発明を実施するための最良の形態】
【００２６】
以下、本発明の緑化設備の第１実施例、第２実施例について説明するが、本発明は以下の実施例に限定されるものではない。
【実施例１】
【００２７】
第１実施例の緑化設備は、図１〜図３に示す植栽コンテナ１００と貯水コンテナ２００とで構成される植栽ユニット３００の複数が敷設面５００に敷設され、各植栽ユニット３００が隣接して並設された標準の植栽領域が形成されると共に、図４〜図７に示すように、前記標準の植栽領域と異条件領域であるボーダー処理領域が隣接して設けられ、前記ボーダー処理領域にも植栽が施される構成である。
【００２８】
第１実施例に於ける植栽ユニット３００は、図１〜図３に示すように、側壁１０１と底面１０２を有する上面開放の略箱形で平面視略正方形である植栽コンテナ１００と、側壁２０１と底面２０２を有する上面開放の略箱形で平面視略正方形の貯水コンテナ２００とで構成されており、植栽コンテナ１００が貯水コンテナ２００の上部に載置され、貯水コンテナ２００内に貯められる雨水や潅水等の水分を、育成材１０９が充填された植栽コンテナ１００内に吸水するようになっている。
【００２９】
植栽コンテナ１００は、図１に示すように、底面１０２に余剰水を排水可能で且つ植物４０６の根に空気を与えるための通水兼通気孔１０３がスリット状に複数穿設されていると共に、底面１０２の略中央に中空の吸水凸部１０４が下方に突出して形成されている。吸水凸部１０４の下端頂面には吸水部材１０７を装入可能な挿通孔１０５が形成され、挿通孔１０５は装入された吸水部材１０７を保持するようになっており、又、挿通孔１０５の周囲には４つのスリット状の吸水孔１０６が穿設されている。更に、底面１０２の四辺には下方に僅かに突出する脚部１０８が形成されており、後述する貯水コンテナ２００の支持壁２０４に載置されるようになっている。植栽コンテナ１００内には育成材１０９が充填され、育成材１０９に後述の植物４０６が植栽される。
【００３０】
貯水コンテナ２００は、図２に示すように、底面２０２の下面四隅に略円柱形の脚部２０３が突設され、敷設面と底面２０２との間に脚部２０３の高さで排水空間が形成されていると共に、底面２０２の上面の四辺には、側壁２０１の内面に隣接して側壁２０１の上端より僅かに低い位置まで支持壁２０４が立設されている。図３に示すように、支持壁２０４の上端面には、植栽コンテナ脚部１０８の下端面が載置され、脚部１０８が側壁２０１の内側面で移動規制されながら支持壁２０４の上端面で支持される。
【００３１】
植栽ユニット３００は、図３に示すように、植栽コンテナ底面１０２の吸水凸部１０４に、その下端が貯水コンテナ底面２０２に着くように吸水部材１０７が装着され、貯水コンテナ２００内の水位が吸水凸部１０４の下端頂面より上方位置である一定量以上の水分がある場合に、育成材１０９と吸水部材１０７とにより植栽コンテナ１００内に吸水され、貯水コンテナ２００内の水位が吸水凸部１０４の下端頂面より下方位置である一定量未満の水分である場合に、吸水部材１０７のみで植栽コンテナ１００内に吸水されるようになっている。前記構成により、施工直後等のように、植物４０６に対して素早く且つ確実に大量の水分を供給する必要がある場合に、育成材１０９と吸水部材１０７とで吸水させることができるので、植物４０６を枯らす心配が無く、又、晴天が続いたときなど水分が少ない場合に、吸水部材１０７のみで吸水させることができるので、自然に近い状態で吸水させて植物４０６を丈夫に育成することができると共に、貯水コンテナ２００内の水分を長期間保たせることが可能となり、水道費の節約、管理の容易化、雨水のみでの植栽等が可能となる。
【００３２】
尚、吸水部材１０７には、例えばガラス繊維束や多孔質セラミックス、熱接着繊維、とうもろこし系繊維、アクリル繊維等や、これらを固化してなる導水棒等、適宜のものを用いることが可能であり、また、不要な場合には用いなくてもよい。吸水部材１０７を用いない場合の構成も適宜であり、例えば吸水凸部１０４を貯水コンテナ２００の底面２０２の近傍まで延設して形成し、吸水凸部１０４内に充填された育成材１０９で吸水する構成や、或いは貯水コンテナ２００内の水分を蒸発させて育成材１０９に供給する構成や、或いは植物４０６の根を植栽コンテナ１００の通水兼通気孔１０３から貯水コンテナ２００内の水分まで導く構成としてもよい。
【００３３】
また、育成材１０９には、植物４０６を栽培可能な適宜のものを用いることが可能であり、例えばパーライト、バーミキュウライト、ピートモス、バーク堆肥、チャフコン、木質腐朽有機物、ゼオライト、下水或いは浄水場から発生する汚泥、或いは汚泥の焼却灰等とすることができ、又、これらの内の数種類を選定したもの、更には必要に応じて根腐れ防止用の硅酸塩白土等を植物の種類、環境等に応じて適宜選定し、これらを保水性、排水性を良好にするためにバランス良く配合したもの、或いはこれらを単体で若しくは配合して固化しブロック状にした軽量育成材や、スポンジやヤシガラ等の繊維材等の軽量育成材等としてもよい。特に、前記のような通気性良好な軽量育成材を育成材１０９として用いると、植物の根が傷むことを防止できると共に、軽量育成材による荷重は従来の客土の約１／３程度とすることができることから、敷設面５００への荷重負荷を軽減することができる。
【００３４】
次に、上記植栽ユニット３００を複数敷設して第１実施例の緑化設備を形成する場合について説明する。
【００３５】
複数の植栽ユニット３００を敷設面５００に敷設する際には、例えば図４に示すように、育成材１０９を充填した植栽ユニット３００を敷設面５００上に９つ隣接させた状態で並設し、略正方形の標準の植栽領域を形成する（図４（ａ）参照）。その後、縁石等の仕切部材４０１を標準の植栽領域の外周縁から所定間隔を開けて配設して枠組みを構成し（図４（ｂ）参照）、前記枠組み内を植栽を施す植栽すべき領域として決定する。その後、標準の植栽領域と枠組みを構成する仕切部材４０１との間のボーダー空間４０に、その両端を折ってそれぞれ植栽ユニット領域の外周縁近傍の上面と仕切部材４０１の内周縁近傍の上面に被せるようにして、不織布等の育成材１０９の漏れを防止するシート状の漏れ防止材４０２を断面視略コ字形になるように敷設し（図４（ｃ）、図７（ａ）参照）、断面視略コ字形の漏れ防止材４０２の内部に育成材４０３を充填する（図４（ｄ）参照）。
【００３６】
上記の如く、シート状の漏れ防止材４０２を設ける場合には、漏れ防止材４０２の内側で略垂設されている部分の上端を内方へ折って折片４１０を形成し（図７参照）、折片４１０を植栽ユニット領域の上面の一部に被せると共に、外側の略垂設部分の上端を外方へ折って仕切部材４０１の上面の一部に被せると、育成材１０９の漏れをより確実に防止し、且つ育成材１０９の充填作業を容易に行えるので好適であるが、前記上端の何れか一方のみを標準の植栽領域若しくは仕切部材４０１に被せる構成や、両上端とも標準の植栽領域と仕切部材４０１に被せず、漏れ防止材４０２を完全な断面視コ字形にする構成等とすることも可能である。
【００３７】
その後、仕切部材４０１上の美観を向上すべく、漏れ防止材４０２の仕切部材４０１の上面に被せられた端部を内方へ折り返して、育成材４０３の外縁近傍上に折返片４０４を配設し（図４（ｅ）、図７（ａ）参照）、仕切部材４０１の内縁近傍を露出することにより、標準の植栽領域の外縁と仕切部材４０１の内縁との間に設けられるボーダー処理領域が完成する。更に、固化した育成材に切芝等の植物４０６が植栽されている構成等の植栽マット４０５を、仕切部材４０１の枠組み内の植栽すべき領域、即ち、標準の植栽領域とボーダー処理領域の全面に亘って敷き詰め、植物４０６が全面に亘って植栽された植栽領域を形成し、第１実施例の緑化設備が完成する。この際、標準の植栽領域の内の外側に位置する植栽マット４０５は、標準の植栽領域の内の外側に位置する植栽ユニット３００とボーダー処理領域を跨ぐようにして、且つ漏れ防止材４０２の折片４１０や折返片４０４を上方から押さえるようにして、前記植栽ユニット３００上とボーダー処理領域上に載置され、前記植栽ユニット３００とボーダー処理領域を跨いで植物４０６が植栽される（図４（ｅ）、（ｆ）、図７（ａ）参照）。
【００３８】
尚、上記芝草等の植物４０６が植栽された植栽マット４０５を載置する構成に代え、植栽ユニット３００の育成材１０９とボーダー処理領域の育成材４０３とにそれぞれ蔓性植物である植物４０６ａを植栽し、標準の植栽領域の内の外側に位置する植栽ユニット３００とボーダー処理領域を蔓性植物の蔓が跨ぐようにする構成等とすることも可能である（図８（ｂ）参照）。更に、その他の適宜の匍匐性の植物を用いることが可能である。
【００３９】
上記構成に於いて、植栽マット４０５が標準の植栽領域とボーダー処理領域を跨がない場合、貯水コンテナ２００を有する植栽ユニット３００は、植物４０６を栽培するために必要な水分を充分に確保可能であるが、ボーダー処理領域は、貯水部を有さず育成材４０３のみで水分を保持するため、晴天が続くとボーダー処理領域の植物４０６が枯れてしまう事態を生ずる。これに対して、上記第１実施例の緑化設備は、植栽マット４０５が標準の植栽領域とボーダー処理領域を跨ぐ構成により、ボーダー処理領域の水分が無くなる或いは少なくなると、標準の植栽領域の内の植栽ユニット３００の貯水コンテナ２００等の水分を、毛細管現象により跨った植栽マット４０５を介してボーダー処理領域に導入して、ボーダー処理領域の植物４０６を良好に育成することができる。
【００４０】
また、植物４０６をランナーで匍匐する芝生など匍匐植物とする場合には、標準の植栽領域の貯水コンテナ２００等の水分をランナーを通じてボーダー処理領域に供給することが可能となり、ボーダー処理領域上の植物４０６を標準の植栽領域の植物４０６と略同等の育成条件で良好に育成することができる。或いは、匍匐植物に代え、蔓性植物である植物４０６ａを育成材１０９、４０３に植栽する場合には、標準の植栽領域の貯水コンテナ２００等の水分を蔓を通じてボーダー処理領域に供給することが可能となり、上記匍匐植物の場合と同様に、ボーダー処理領域上の植物４０６を標準の植栽領域の植物４０６と略同等の育成条件で良好に育成することができる。
【００４１】
また、シート状の漏れ防止材４０２の内部に育成材４０３を充填して構成するボーダー処理領域により、標準の植栽領域の内の最外側に位置する植栽ユニット３００と仕切部材４０１との間に、規格化された標準の植栽ユニット３００を敷設できない程度の空間（余り）が生じた場合に、特殊な寸法や形状の植栽ユニットを製造・用意することなく、低コストで前記空間（余り）を緑化処理することができる。更に、如何なる範囲の空間（余り）でも柔軟、確実、効率的に適応することができる。例えば四角形の他に三角形、六角形など多角形或いは円形等の植栽ユニットを敷設し、外縁に凹凸を有する植栽ユニット領域を形成した場合にも容易に吸収することができる。即ち、多様な外形の植栽領域を形成する場合や、顧客が所望する領域全体を植栽領域とする場合にも、低コスト、柔軟、確実、効率的に適応し、非常に優れた緑化による美観を確保できると共に、植栽領域を増大してヒートアイランド現象の緩和に寄与することができる。
【００４２】
また、漏れ防止材４０２の折返片４０４や折片４１０上に植栽マット４０５を載置して、折返片４０４や折片４１０を植栽マット４０５で上方から押圧し、更に、短期間で植物４０６が育成材１０９、４０３に根付いて、より強力で安定した力で折返片４０４や折片４１０を押圧することができるので、美観に優れると共に、構造の安定性が非常に高いボーダー処理領域を構成することができる。
【００４３】
尚、第１実施例の緑化設備の変形例として、図５に示すように、平面視略正方形の植栽ユニット３００を複数並べて敷設し、全体的に略三角形の標準の植栽領域を形成し、その標準の植栽領域の外周縁から所定間隔を開けて仕切部材４０１を配設して、略三角形の枠組みを構成すると共に、方形や略三角形のボーダー空間４０に長方形や略三角形の漏れ防止材４０２を敷設し、漏れ防止材４０２内に育成材４０３を充填して折返片４０４を形成し、更に、標準の植栽領域の外側の植栽ユニット３００とボーダー処理領域とを跨ぐようにし、且つ植栽すべき領域の全面に亘って、植栽マット４０５を敷設して緑化する構成としてもよい。
【００４４】
また、第１実施例の緑化設備の他の変形例として、図６に示すように、平面視略正方形の植栽ユニット３００を複数並べて敷設し、全体的に略扇形に近い形の標準の植栽領域を形成し、その標準の植栽領域の外周縁から所定間隔を開けて仕切部材４０１を配設して、略扇形の枠組みを構成すると共に、方形や略扇形のボーダー空間４０に長方形や略扇形の漏れ防止材４０２を敷設し、漏れ防止材４０２内に育成材４０３を充填して折返片４０４を形成し、更に、標準の植栽領域の内の外側の植栽ユニット３００とボーダー処理領域とを跨ぐようにし、且つ植栽すべき領域の全面に亘って、植栽マット４０５を敷設して緑化する構成としてもよい。
【００４５】
また、ボーダー処理領域の構造は、仕切部材４０１を配設し、ボーダー空間４０に漏れ防止材４０２を敷設し、漏れ防止材４０２内に育成材４０３を充填し、標準の植栽領域外周の植栽ユニット３００の育成材１０９とボーダー処理領域の育成材４０３とに植栽マット４０５を跨がせて載置する構成（図７（ａ）参照）のみに限定されるものではなく、例えば図７（ｂ）に示すように、漏れ防止材４０２の下側に保水兼排水層４０８を設け、保水兼排水層４０８に育成材４０３が充填された漏れ防止材４０２を載置する構成等としてもよい。保水兼排水層４０８は、例えば凹凸状の略波形で、凸部頂面に排水孔を穿設し、凹部に水分を貯める構成とするなど適宜である。その他に、防根層、断熱層、排水層、保水層、貯水層、或いはその組み合わせなどを適宜設けることが可能である。更に、図７（ｃ）に示すように、ボーダー処理領域を構成する箇所が、植栽ユニット３００が敷設される敷設面５００よりも高い段差５０１上である場合にも、図７（ａ）と同様の構成等で効果的に対応することができる。
【００４６】
また、標準の植栽領域と隣り合って設けられる異条件領域は、上記ボーダー処理領域に限定されるものではなく、植物の植栽が標準的な育成条件で行われる標準の植栽領域と条件が異なる全ての領域が含まれ、更に、標準の植栽領域より異条件領域の育成条件が悪い場合の他、標準の植栽領域より異条件領域の育成条件が良い場合も含まれる。例えば図８に示すように、敷設面５００に設けられている高さが高い段差５０２により植栽ユニット３００が敷設できないため、段差５０２上に別途設けられる植栽領域も前記異条件領域に含まれる。図８（ａ）は、敷設面５００の高さが低い箇所に植栽ユニット３００を敷設すると共に、段差５０２上に漏れ防止材４０２を敷設して育成材４０３を充填し、漏れ防止材４０２の上端の折片４１０を挟むように、且つ育成材１０９と育成材４０３を跨ぐように切芝等の植物４０６が植栽された植栽マット４０５を載置する構成である。図８（ｂ）は、図８（ａ）の植栽マット４０５を載置する構成に代え、育成材１０９と育成材４０３に蔓性植物である植物４０６ａをそれぞれ植栽し、蔓を匍匐させて育成材１０９と育成材４０３とに跨がせる構成である。また、屋根がない標準の植栽領域に対し、上方に屋根があって雨水が入らない領域を異条件領域とする場合も含まれる。
【実施例２】
【００４７】
次に、第２実施例の緑化設備について上記第１実施例と異なる箇所の詳細を説明する。
【００４８】
第２実施例の緑化設備は、図９〜図１１に示す植栽コンテナ１００と貯水コンテナ２００とで構成される植栽ユニット３００の複数が敷設面５００に敷設され、各植栽ユニット３００が隣接して並設された植栽領域が形成される。
【００４９】
第２実施例に於ける植栽コンテナ１００は、図９に示すように、第１実施例と同様に、側壁１０１と底面１０２で構成される平面視略正方形の略箱形であり、底面１０２に形成されたスリット状の通水兼通気孔１０３を有し、底面１０２には吸水凸部１０４が所定間隔を開けて４つ形成され、吸水凸部１０４の下端頂面にはスリット状の吸水孔１０６が穿設されている。更に、側壁１０１の下部には内向きへこみ部１１０が形成され、又、底面１０２の下側には吸水凸部１０４よりも僅かに長く突出した脚部１０８が形成され、側壁１０１の中央位置に対応して設けられた脚部１０８の中央には切欠１１１が形成されている。
【００５０】
第２実施例に於ける貯水コンテナ２００は、図１０に示すように、側壁２０１が低く形成されたトレー状であり、側壁２０１の四辺に外方へ向かって鉤形連係部２０５、２０６が形成され、隣り合う側壁２０１の２辺の上端には幅が広い幅広連係部２０５が形成され、他の隣り合う側壁２０１の２辺の上端には幅が狭い幅狭連係部２０６が形成されている。隣り合う２つの貯水コンテナ２００で、一方の貯水コンテナ２００の幅広連係部２０５を他方の貯水コンテナ２００の幅狭連係部２０６を覆うように係合載置し、隣り合う貯水コンテナ２００・２００を係合して連係可能になっている。更に、底面２０２の側壁２０１の中央に対応する位置には、前記中央位置から底面２０２の中心に向かって延びるように上方へ突出形成された突出部２０７が形成されており、突出部２０７が植栽コンテナ脚部１０８の切欠１１１内に収まって係合され、植栽コンテナ１００と貯水コンテナ２００が位置決めされる。
【００５１】
植栽ユニット３００を構成する場合には、図１１に示すように、底面２０２に脚部１０８が載置され、且つ脚部１０８の切欠１１１内に突出部２０７が係合されるようにして、貯水コンテナ２００内に植栽コンテナ１０１が配設される。配設された植栽コンテナ１００の吸水凸部１０４の下端頂面と貯水コンテナ底面２０２との間には空間が形成され、吸水孔１０６から良好な吸水を行うことが可能である。更に、図１２に示すように、一の植栽ユニット３００の幅広連係部２０５を隣接する他の植栽ユニット３００の幅狭連係部２０６に載置係合すると共に、隣接する植栽ユニット３００・３００の内向きへこみ部１１０・１１０間の空間の所定経路に於いて、前記係合した連係部２０５、２０６上に多孔質の潅水パイプ４０９を配設し、更に、吸水凸部１０４内を含む植栽コンテナ１００内に育成材１０９を充填し、植物４０６が植栽された植栽マット４０５を載置し、第２実施例の緑化設備を構成する。
【００５２】
第２実施例の緑化設備は、貯水コンテナ２００の側壁２０１が低く第１実施例よりも貯水量は少ないが、潅水パイプ４０９で両側に位置する貯水コンテナ２００に潅水して水分を供給し、貯水コンテナ２００内の水分が吸水凸部１０４内の育成材１０９で上方に吸水される所謂底面潅水方式であり、潅水パイプ４０９の潅水で必要充分な水分が確保されるようになっている。
【００５３】
尚、潅水パイプ４０９による潅水を行う潅水装置は適宜であり、例えば装置本体が予め設定された時間や日数間隔を記憶部に記憶し、制御部がタイマーの計測時刻や計測日数と記憶部に記憶する時間や日数間隔とを対比し、設定時刻や設定日数間隔の到来に応じて水源の制御弁を設定された所定時間開けて潅水すると共に、計測時刻や計測日数をリセットする構成等のタイマー式の潅水装置、又は、貯水コンテナ２００内若しくは植栽コンテナ１００の育成材１０９内に水分量と対応する電気抵抗値を計測する等の水分検知センサーを配設し、装置本体が有線若しくは無線で水分検知センサーから電気抵抗値等の計測結果を受信し、その計測結果を設定記憶された電気抵抗値等と対比し、その対比結果から所定の水分量が無いと判定した場合に水源の制御弁を設定された所定時間開けて潅水する構成、或いは水分検知センサーの制御部が設定記憶された電気抵抗値と計測した電気抵抗値を対比し、その対比結果から所定の水分量が無いと判定した情報を装置本体に送信し、装置本体が受信した前記判定情報に応じて水源の制御弁を開けて潅水する構成等のセンサー式の潅水装置等とすることが可能である。
【００５４】
そして、貯水コンテナ２００が無い側からの潅水パイプ４０９の給水の漏れを防止すべく、両側に植栽ユニット３００がある箇所にのみ潅水パイプ４０９を配設して、第２実施例の緑化設備を設けた場合に、図１３のＸのように、潅水パイプ４０９から直接潅水されない貯水コンテナ２００を有する植栽ユニット３００が設けられるが、図示Ｘの植栽ユニット３００と潅水パイプ４０９から直接潅水される植栽ユニット３００との間には、切芝等の植物４０６が植栽された植栽マット４０５を跨いで載置し、直接潅水される植栽ユニット３００の貯水或いは保持する水分を、植栽マット４０５や植物４０６を介して図示Ｘの植栽ユニット３００に供給可能とする。即ち、潅水パイプ４０９から直接潅水される植栽ユニット３００で構成される標準の植栽領域に対して、異条件領域である図示Ｘの植栽ユニット３００には、植栽マット４０５や植物４０６を介して給水され、良好な植栽が可能となる。
【００５５】
以上、本発明の第１実施例、第２実施例の緑化設備について説明したが、本発明は上記実施例に限定されるものではなく、各実施例の構成を組み合わせた構成も包含され、又、その他に様々な拡張、変形が可能である。
【００５６】
例えば標準の植栽領域の構成は、植栽コンテナ１００と貯水コンテナ２００で構成される植栽ユニット３００を敷設する構成以外にも適宜であり、例えば植栽ユニットを用いずに、敷設面５００に育成材を敷設して植栽を施す所謂客土タイプの植栽領域、或いは敷設面５００にヤシ繊維など繊維のマットに植栽された植栽マットを敷設する植栽領域、或いは敷設面５００にポーラスコンクリート等に植栽された植栽ブロックを敷設する植栽領域等とすることが可能である。また、植栽ユニット３００の構成も適宜であり、例えば貯水コンテナ２００を用いずに植栽コンテナ１００のみで構成してもよく、又、その形状も平面視四角形に限定されるものではなく、例えば円形、三角形・五角形・六角形等の多角形とすることも可能である。
【００５７】
また、標準の植栽領域の育成材と異条件領域の育成材は同一の育成材とする他、別の育成材とすることも可能であり、例えば第１実施例の植栽ユニット３００の育成材１０９とボーダー処理領域の育成材４０３を同一の育成材とする、或いは別の育成材とすることが可能である。前記育成材１０９と育成材４０３を異なる育成材とする場合、ボーダー処理領域の箱形内に充填されていない育成材４０３を、例えばバインダー等で固化したもの、或いは透根性の袋に土壌等を入れたもの、或いは繊維とする構成等とすると、ボーダー処理領域の上方からの踏圧等で育成材４０３がずれること等を防止することができ、好適である。更に、ボーダー処理領域の育成材４０３に粒状の育成材を用いる場合には、ボーダー処理領域内に仕切等を設ける構成、或いは底面から上方に突出する柱状部材等を設ける構成により、ボーダー処理領域に植栽された植物の根を踏圧から保護できる、育成材のズレを防止することができる等の効果が得られて好適である。尚、植栽ユニット３００の植栽コンテナ１００にも、底面１０２から上方に複数立設する柱状部材を設けてもよい。
【００５８】
また、本発明の緑化設備は、建物の屋上、ベランダ等に設けると好適であるが、例えば自然地盤上、壁面、屋根等に設けることも可能である。更に、面状の敷設面５００以外の設置箇所に設けることも可能である。
【００５９】
また、ボーダー処理領域の構造は上記実施例以外にも適宜であり、例えば漏れ防止材４０２を折返片４０４を設けない構成、或いは折片４１０を植栽ユニット３００上まで設けない構成、又は、漏れ防止材４０２の植栽ユニット３００に隣接する縁の高さを植栽ユニット３００の高さよりも低くする構成、或いは漏れ防止材４０２の仕切部材４０１に隣接する縁の高さを植栽ユニット３００の高さよりも低くする構成、又は、これらの組み合わせの構成等とすることが可能である。更に、仕切部材４０１と漏れ防止材４０２との間及び敷設面５００と漏れ防止材４０２との間に略Ｌ字形の仕切板を設ける構成、或いは植栽ユニット３００と漏れ防止材４０２との間及び敷設面５００と漏れ防止材４０２との間に略Ｌ字形の仕切板を設ける構成、或いはこれらを組み合わせる一対の仕切板を設ける構成とすると、ボーダー処理領域の構造の安定化及び強度の強化、育成材４０３の漏れの確実な防止を図ることができて好適である。尚、断面視略Ｌ字形の仕切板は、例えば仕切板の一方の片が互いに向き合い且つ他方の片が立設するように一対を対向配置し、対向配置した仕切板の内側にシート状の漏れ防止材４０２を断面視略コ字形にして布設し、前記漏れ防止材４０２の内側に育成材４０３を収容する構成等とする。又、植栽マット４０５は、切芝以外に別のマット状植物（セダムマットやタマリュウマット）等であってもよい。
【産業上の利用可能性】
【００６０】
本発明の緑化設備は、例えば建築物の屋上やベランダ等の人工地盤上に設ける緑化設備として利用することができる。
【図面の簡単な説明】
【００６１】
【図１】（ａ）は第１実施例に於ける植栽コンテナの平面図、（ｂ）は同図（ａ）の植栽コンテナの正面図、（ｃ）は同図（ａ）の植栽コンテナの底面図、（ｄ）は同図（ａ）の植栽コンテナのＡ−Ａ線矢視断面図。
【図２】（ａ）は第１実施例に於ける貯水コンテナの平面図、（ｂ）は同図（ａ）の貯水コンテナの正面図、（ｃ）は同図（ａ）の植栽コンテナの底面図、（ｄ）は同図（ａ）の貯水コンテナのＡ−Ａ線矢視断面図。
【図３】（ａ）は第１実施例に於ける植栽ユニットの正面図、（ｂ）は同図（ａ）の植栽ユニットの断面図。
【図４】（ａ）〜（ｇ）は直線状にボーダー処理して第１実施例の緑化設備を形成する際の施工手順を説明する平面説明図。
【図５】（ａ）〜（ｇ）は斜めにボーダー処理して第１実施例の緑化設備を形成する際の施工手順を説明する平面説明図。
【図６】（ａ）〜（ｇ）は円弧状にボーダー処理して第１実施例の緑化設備を形成する際の施工手順を説明する平面説明図。
【図７】（ａ）は第１実施例の緑化設備のボーダー領域及びその周辺領域を示す断面図、（ｂ）は第１実施例の緑化設備の保水兼排水層を設けたボーダー領域及びその周辺領域を示す断面図、（ｃ）は第１実施例の緑化設備の段差に設けられたボーダー領域及びその周辺領域を示す断面図。
【図８】（ａ）は第１実施例の緑化設備の段差箇所に設けられた部分を示す断面図、（ｂ）は第１実施例の緑化設備の変形例の段差箇所に設けられた部分を示す断面図。
【図９】（ａ）は第２実施例に於ける植栽コンテナの平面図、（ｂ）は同図（ａ）の植栽コンテナの正面図、（ｃ）は同図（ａ）の植栽コンテナのＡ−Ａ線矢視断面図。
【図１０】（ａ）は第２実施例に於ける貯水コンテナの平面図、（ｂ）は同図（ａ）の貯水コンテナの正面図、（ｃ）は同図（ａ）の貯水コンテナのＡ−Ａ線矢視断面図。
【図１１】（ａ）は第２実施例に於ける植栽ユニットの正面図、（ｂ）は第２実施例の植栽ユニットの断面図。
【図１２】第２実施例の緑化設備で植栽ユニット相互間に潅水パイプを配設した状態を示す断面図。
【図１３】（ａ）及び（ｂ）は第２実施例の緑化設備で植栽ユニットを略三角形状に植栽ユニットを敷設した例を示す平面説明図。
【符号の説明】
【００６２】
１００  植栽コンテナ
１０１、２０１  側壁
１０２、２０２  底面
１０９  育成材
１１０  内向きへこみ部
２００  貯水コンテナ
２０３  脚部
２０４  支持壁
２０５、２０６  連係部
３００  植栽ユニット
４０１  仕切部材
４０２  漏れ防止材
４０３  育成材
４０４  折返片
４０５  植栽マット
４０６、４０６ａ  植物
４０７  水面
４０８  保水兼排水層
４０９  潅水パイプ
４１０  折片
５００  敷設面
５０１、５０２  段差
【図１】
2005323589.tif 000003
【図２】
2005323589.tif 000004
【図３】
2005323589.tif 000005
【図４】
2005323589.tif 000006
【図５】
2005323589.tif 000007
【図６】
2005323589.tif 000008
【図７】
2005323589.tif 000009
【図８】
2005323589.tif 000010
【図９】
2005323589.tif 000011
【図１０】
2005323589.tif 000012
【図１１】
2005323589.tif 000013
【図１２】
2005323589.tif 000014
【図１３】
2005323589.tif 000015